(57)【要約】    【課題】  簡易なシステム構成で家計簿へのデータ入力の手間を軽減する。    【解決手段】  商品購入者の情報処理端末装置１と、商品販売データ処理システム２とを備える。商品販売データ処理システム２は、購入者が購入した商品名及び購入価格を含む購入データをバーコード化する２次元バーコード生成手段２５と、購入データのテキスト及びバーコードを印刷したレシート３を発行する印刷手段２６とを備える。情報処理端末装置１は、レシート３に印刷されたバーコードを読み取るカメラ１１と、読み取ったバーコード情報から購入データを抽出し、テキスト形式の前記購入データを出力する２次元バーコード解析部１２と、テキスト形式の購入データを家計簿システムが参照可能な状態で記憶する家計簿データベース１４と、を備える。    【選択図】  図１
2006178561.tif 000002
【特許請求の範囲】
【請求項１】
商品販売管理装置と購入者端末装置とを備えた家計簿登録支援システムであって、
前記商品販売管理装置は、
購入者が購入した商品名及び購入価格を含む購入データをバーコード化する手段と、
前記購入データのテキスト及び前記バーコード化手段により生成されたバーコードを印刷したレシートを発行する手段とを備え、
前記購入者端末装置は、
前記レシートに印刷されたバーコードを読み取り、当該読み取ったバーコード情報から前記購入データを抽出し、テキスト形式の前記購入データを出力するバーコードリーダと、
前記バーコードリーダが出力した前記テキスト形式の購入データを家計簿システムが参照可能な状態で記憶する手段と、を備える家計簿登録支援システム。
【請求項２】
前記バーコード化手段は、前記購入データを複数のグループに分割して、前記分割されたグループごとにバーコードを生成し、
前記レシート発行手段は、前記バーコード化手段が生成した複数のバーコードを前記レシートへ印刷することを特徴とする請求項１に記載の家計簿登録支援システム。
【請求項３】
前記購入者端末装置は、購入データ判定手段をさらに備え、
前記バーコード化手段は、各バーコードに、それぞれのグループの識別情報を含むように各バーコードを生成し、
前記バーコードリーダは、前記読み取ったバーコード情報に含まれる購入データ及び当該グループの識別情報を抽出し、
前記記憶手段には、前記テキスト形式の購入データと前記抽出された識別情報とを対応付けて記憶し、
前記購入データ判定手段は、前記記憶手段を参照し、前記バーコードリーダが抽出した識別情報に基づいて、購入データの重複入力を排除することを特徴とする請求項１または２に記載の家計簿登録支援システム。
【請求項４】
購入者が購入した商品名及び購入価格を含む購入データのテキスト及び前記購入データに基づいて生成されたバーコードが印刷されたレシートから前記バーコードを読み取り、当該読み取ったバーコード情報から前記購入データを抽出し、テキスト形式の前記購入データを出力するバーコードリーダと、
前記バーコードリーダが出力した前記テキスト形式の購入データを家計簿システムが参照可能な状態で記憶する手段と、を備える購入者端末装置。
【請求項５】
前記バーコードリーダは、
前記バーコードを撮影する撮影手段と、
前記バーコードの画像データに基づいて前記購入データを抽出し、テキスト形式の前記購入データを出力するデータ抽出手段とを備えることを特徴とする請求項４に記載の購入者端末装置。
【請求項６】
購入者が購入した商品名及び購入価格を含む購入データのテキスト及び前記購入データに基づいて生成されたバーコードが印刷されたレシートから前記バーコードを読み取るステップと、
前記読み取ったバーコード情報から前記購入データを抽出し、テキスト形式の前記購入データを出力するステップと、
前記出力された前記テキスト形式の購入データを家計簿システムが利用可能な状態で記憶手段に格納するステップと、を備える商品の購入データの入力方法。
【発明の詳細な説明】
【技術分野】
【０００１】
本発明は、家計簿データベースへの登録を支援する家計登録システムに係り、特に、商品情報の入力を簡略化した家計簿支援システムに関する。
【背景技術】
【０００２】
従来、手書きで記入を行う家計簿や携帯情報端末装置やパソコン用の家計簿ソフトウェアは数多く製品化、販売されている。しかしながら、これら家計簿は購入した商品情報の入力に時間がかかり、入力の簡略化が望まれている。商品情報の入力の簡略化では特許文献１及び２に記載のシステムのように、ネットワークを介して商品購入情報を提供するシステムが知られている。そして、提供される商品購入情報を顧客側で取り込むことにより家計簿登録の労力を軽減されることが期待されている。
【特許文献１】特開２００２−２４６７９号公報
【特許文献２】特開２００４−２２７３６４号公報
【発明の開示】
【発明が解決しようとする課題】
【０００３】
従来の方式では、購入者は購入した商品情報を入手するため、インターネット等を介して商品情報を管理しているサーバにアクセスする必要がある。また、他人が成りすまして、商品購入情報を取り出すなどの悪用や、店舗側が購入者の購入履歴情報を自由に見ることができ、購入者のプライバシーが守れないことも問題である。さらに、店舗側においては必ず商品情報を管理し、インターネットアクセス可能なサーバを構築する必要があり、家計簿支援システムの構築を難しくしている。
【０００４】
そこで、本発明の目的は、簡易なシステム構成で家計簿へのデータ入力の手間を軽減することを目的とする。
【課題を解決するための手段】
【０００５】
本発明の一実施態様に従う家計簿登録支援システムは、商品販売管理装置と購入者端末装置とを備えた家計簿登録支援システムであって、前記商品販売管理装置は、購入者が購入した商品名及び購入価格を含む購入データをバーコード化する手段と、記購入データのテキスト及び前記バーコード化手段により生成されたバーコードを印刷したレシートを発行する手段とを備える。前記購入者端末装置は、前記レシートに印刷されたバーコードを読み取り、当該読み取った情報から前記購入データを抽出し、テキスト形式の前記購入データを出力するバーコードリーダと、前記バーコードリーダが出力した前記テキスト形式の購入データを家計簿システムが参照可能な状態で記憶する手段と、を備える。
【０００６】
好適な実施形態では、前記商品販売管理装置のバーコード化手段は、前記購入データを複数のグループに分割して、前記分割されたグループごとにバーコードを生成する。前記レシート発行手段は、前記バーコード化手段が生成した複数のバーコードを前記レシートへ印刷するようにしてもよい。
【０００７】
好適な実施形態では、前記購入者端末装置は、購入データ判定手段をさらに備えてもよい。そして、前記バーコード化手段は、各バーコードに、それぞれのグループの識別情報を含むように各バーコードを生成する。前記バーコードリーダは、前記読み取ったバーコード情報に含まれる購入データ及び当該グループの識別情報を抽出する。前記記憶手段には、前記テキスト形式の購入データと前記抽出された識別情報とを対応付けて記憶する。そして、前記購入データ判定手段は、前記記憶手段を参照し、前記バーコードリーダが抽出した識別情報に基づいて、購入データの重複入力を排除することができる。
【０００８】
本発明の一実施態様に従う商品販売管理装置は、購入者が購入した商品名及び購入価格を含む購入データをバーコード化する手段と、前記購入データのテキスト及び前記バーコード化手段により生成されたバーコードを印刷したレシートを発行する手段とを備える。
【０００９】
本発明の一実施態様に従う購入者端末装置は、購入者が購入した商品名及び購入価格を含む購入データのテキスト及び前記購入データに基づいて生成されたバーコードが印刷されたレシートから前記バーコードを読み取り、当該読み取ったバーコード情報から前記購入データを抽出し、テキスト形式の前記購入データを出力するバーコードリーダと、前記バーコードリーダが出力した前記テキスト形式の購入データを家計簿システムが参照可能な状態で記憶する手段と、を備える。
【００１０】
好適な実施形態では、前記バーコードリーダは、前記バーコードを撮影する撮影手段と、前記バーコードの画像データに基づいて前記購入データを抽出し、テキスト形式の前記購入データを出力するデータ抽出手段とを備えてもよい。
【発明を実施するための最良の形態】
【００１１】
以下、本発明の実施の形態について図面を参照しながら説明する。図１は、本発明の第１の実施形態に係る家計簿登録支援システムの構成を示す図である。本システムは、購入者が使用する端末装置である情報端末装置１と、商店等に設置される商品販売データ処理システム２とを備える。本システムでは、商品販売データ処理システム２が、購入者が購入した商品名及び購入金額などを示すバーコードが印刷されたレシート３を発行する。そして、情報端末装置１でそのレシート３に印刷されたバーコードを読み取って、購入した商品名及び購入金額のテキストデータに変換する。このテキストデータを家計簿システムに取り込めば、購入者は購入した商品名や金額を入力する手間を省くことができる。
【００１２】
商品販売データ処理システム２は、入力手段２１と、商品コード変換手段２２と、商品コードデータベース２３と、商品リスト生成手段２４と、２次元バーコード生成手段２５と、時計機能２８と、印刷画面生成手段２６と、印刷手段２７と、時計機能２８とを備える。なお、商品販売データ処理システム２は、単体の機器でもよいし、図２に示すように、複数のデータ処理端末装置６と商品情報サーバ５がネットワーク４を介して接続しており、それぞれの機能を分担しているシステムとしてもよい。
【００１３】
入力手段２１は、例えば、商品に付けられているバーコードを読込み、バーコードに含まれている商品コードなどの情報を検出するバーコードリーダや、販売員が直接コードを入力する、あるいは、品物を選択するタッチパネルあるいはキー等であり、購入者が購入した商品の商品コードを入力する手段である。
【００１４】
商品コード変換手段２２は、入力手段２１から入力された商品コードを用いて商品コードデータベース２３に登録されている商品名および商品価格を取得する。
【００１５】
商品コードデータベース２３に格納されているデータの一例を図３に示す。同図に示すように、少なくとも商品コードデータベース２３には、各商品コード３１に関連づけられた商品名３２、価格３３が登録されている。例えば、商品コード「4901201013491」の商品名は「キュウリ」であり、単価は「25」円である。商品コード変換手段２２は商品コード「4901201013491」を商品コードデータベース２３に送ると、その応答として商品名「キュウリ」、単価は「25」円を得る。なお、商品コードデータベース２３には、図３に示した以外に、商品の在庫状況やまとめうり情報等のデータが記録されていてもかまわない。
【００１６】
商品リスト生成手段２４は、商品コード変換手段２２から得た商品名および単価の情報を顧客ごとにまとめ、購入する商品のリストを作成する。ここで生成された商品リストデータの例を図４に示す。ここ生成される商品リストデータ４１はテキストデータであり、各々の商品名、単価、購入個数で構成される。図４の商品リストデータでは、個々のデータを区別するため、商品名、単価、購入個数間ではカンマで区切り、商品間では改行を入れている。
【００１７】
2次元バーコード生成手段２５は、商品リスト生成手段２４で作成された商品リストデータ４１に基づいて、この商品リストデータ４１を含む2次元バーコードを生成する。
【００１８】
印刷画面生成手段２６は、商品リスト生成手段２４で生成された商品リストデータ４１および2次元バーコード生成手段２５で生成された2次元バーコード、および時計機能２８から日時を取得し、各々を予め決められているレイアウトに配置する。なお、このとき、商品販売データ処理システム2にあらかじめ登録されている店舗名等の店舗に関わる情報および購入者へのメッセージ、レシートを管理するためのレシート番号等を同時にレイアウトしてもかまわない。
【００１９】
印刷手段２７は、印刷画面生成手段で作成された印刷用の画面をレシート３として印刷する。印刷されたレシート３の一例を、図５に示す。レシート３には、店舗名５１と、商品購入日時５２と、購入商品名と価格５３と、2次元バーコード３０とが印刷されている。すなわち、購入者は、通常のレシートに記載されている、購入した商品の名前、単価および商品の合計リストとともに購入した商品の情報の2次元バーコード３０が印刷されたレシートを受け取る。
【００２０】
次に、再び図１を参照して、情報端末装置１について説明する。情報端末装置１は、例えば、デスクトップパソコンなどの他、携帯電話機やＰＤＡ（Personal Data Assistant）等の携帯可能な情報端末装置でよい。情報端末装置１は、カメラ１１と、2次元バーコード解析部１２と、家計簿管理手段１３と、家計簿データベース１４と、画面表示機能１５とを備える。
【００２１】
本実施形態では、カメラ１１及び２次元バーコード解析部１２で、２次元バーコードリーダが形成される。すなわち、購入者は、情報端末装置１のカメラ１１でレシート３に印刷されている2次元バーコードを撮影する。2次元バーコード解析部１２はカメラ１１で撮影された画像について、所定の画像処理を施して２次元バーコードを切出す。さらに、2次元バーコード解析部１２は、所定の解析により切り出された２次元バーコードから購入データを抽出し、これをテキストデータとして出力する。ここで出力されるテキスト形式の購入データは、図４に示した商品リストデータ４１と同じである。
【００２２】
家計簿管理手段１３は、2次元バーコード解析部１２から出力されたテキスト形式の購入データから商品名、単価、個数をそれぞれの商品について取り出し、家計簿データベース１４に記録していく。
【００２３】
家計簿データベース１４は、購入した商品に関する情報を記憶するデータベースであり、図示しない家計簿システムがここに記憶されている情報を読み取ることが可能である。後述するように、この家計簿データベース１４に容易に商品の購入データを取り込むことができるので、本実施形態では、購入者のデータ入力の手間を軽減できる。
【００２４】
ここで、家計簿データベース１４に保存される購入データのデータ配列の例を図６に示す。保存されている購入データは、第１の商品の商品名６１、カンマ６２、第１の商品の単価６３、カンマ６２、第１の商品の個数６４、改行６５、第２の商品の商品名６６という構成になっている。従って、家計簿管理手段１３が家計簿データベース１４から購入データを読み出すときは、カンマ６２および改行６５を検出することにより、データの区切りを抽出する。家計簿管理手段１３は、家計簿データベース１４に登録されている購入データに基づいて合計金額等を算出して、購入した商品名とともに画面表示機能１５で表示する。これにより、購入者は購入した商品の名前や収支状況を把握することができる。
【００２５】
以上、本発明により、購入者はキー入力等を行うことなく購入した商品の情報を家計簿に登録することができ、入力効率が非常に向上する。さらに、レシートに印刷されたバーコードに商品の購入データが含まれているので、サーバなどに接続しなくても購入データを購入者の端末装置に取り込むことができる。
【００２６】
次に、本発明の第２の実施形態について説明する。図７は、第２の実施形態に係る家計簿登録支援システムの構成を示す図である。本実施形態でも、第１の実施形態と同様に、情報端末装置１と、商品販売データ処理システム２とを備え、商品販売データ処理システム２０が、購入者が購入した商品名及び購入金額などを示すバーコードが印刷されたレシート３を発行する。なお、第１の実施形態と同一の構成については同一の符号を付し、説明を省略する場合がある。
【００２７】
本実施形態に係る商品販売データ処理システム２０は、入力手段２１と、商品コード変換手段２２と、商品コードデータベース２３と、商品コード変換手段で得られた商品名の数を数える商品カウント手段２０１と、2次元バーコードのＩＤを生成するＩＤ生成手段２０２と、複数の商品リストを作成することができる商品リスト生成手段２０３と、２次元バーコード生成手段２５と、印刷画面生成手段２６と、印刷手段２７と、時計機能２８とを備える。
【００２８】
商品名数カウント手段２０１は、商品コード変換手段２２から出力される商品名の数をカウントする。そして、商品名数が予め設定されている数になるとＩＤ生成手段２０２にＩＤを作成するように命令する。すべての商品名数のカウントが終わると、作成したＩＤ数を商品リスト生成手段２０３に送る。
【００２９】
商品リスト生成手段２０３では、購入される全商品のリストデータを作成するとともに、ＩＤ生成手段２０２から送られてきたＩＤに関する商品毎に商品リストデータを作成する。すなわち、購入者が購入する商品数が所定数より多いとき、購入データを複数のグループに分割し、グループごとに購入商品のリストデータを生成する。ここで、グループ別の商品リストデータ９０の一例を図８に示す。このリストデータ９０の先頭には、全体のグループ数９０ａ（ここでは「３」）と、このリストのグループのＩＤ９０ｂ（ここでは「２」）とが含まれている。
【００３０】
なお、図９は、本実施形態での商品リストデータを家計簿データベース１４に格納する場合のデータフォーマットの例を示す図である。先頭のＩＤ数９１及びＩＤ９２が、図８の全体のグループ数９０ａ及びＩＤ９０ｂにそれぞれ対応する。
【００３１】
商品リスト生成手段２０３で生成した、商品リストデータ９０はグループごとに2次元バーコード生成手段２５に送られ、それぞれのグループ別に2次元バーコードが生成される。ここで生成されるグループ別の２次元バーコードには、そのグループに含まれる購入データと、そのグループの識別情報であるＩＤが含まれる。
【００３２】
印刷画面生成手段26では、商品リスト生成手段２０３から全商品のリストデータと、作成したグループ別の2次元バーコードを受け取り、印刷画面を生成する。
【００３３】
そして、印刷手段２７が、図１０に示すようにグループ別の２次元バーコード８１〜８３が含まれているレシート８０を印刷する。このレシート８０を受け取った購入者は、情報端末装置１を用いてすべての2次元バーコード８１〜８３を読み取って、家計簿データベース１４に登録する。
【００３４】
このときの情報端末装置１における家計簿管理手段１３の処理手順を、図１１に示すフローチャートを用いて説明する。なお、本実施形態では、家計簿管理手段１３が複数のバーコードをすべて読み込むための管理を行うために、処理済みグループ数をカウントするためのカウンタを有している。
【００３５】
まず、情報端末装置１は家計簿管理手段１３を起動する（Ｓ１０１）。このときに、処理済みグループ数カウンタは初期化される。そして、購入者の操作に従って、カメラ１１でレシート８０に印刷されている2次元バーコード８１〜８３のうちの１つを撮影する（Ｓ１０２）。2次元バーコード解析部１２は、ステップＳ１０２で撮影された２次元バーコードから、これに含まれているグループ識別情報と購入データを抽出し、テキストデータに変換する（Ｓ１０３）。ここで、テキスト形式の購入データから、全体のグループ数およびこのグループのＩＤを抽出する（Ｓ１０４）。そして、家計簿データベース１４を参照して、撮影した2次元バーコードが読み込み済で家計簿データベース１４に登録済みであるかどうかを、ＩＤをキーにしてチェックする（Ｓ１０５）。
【００３６】
ここで、もし読み込み済であれば（Ｓ１０５：ＹＥＳ）、表示画面に読み込み済であるメッセージ゛を表示する（Ｓ１０６）。そして、購入者がメッセージを確認すると、読み込み済みデータを破棄して、ステップＳ１０２の2次元バーコード撮影画面へ戻る（Ｓ１０７）。
【００３７】
また、撮影した2次元バーコードが読み込み済でない場合は（Ｓ１０５：ＮＯ）、テキストデータに含まれているグループのＩＤ、商品名、単価、個数を家計簿データベース１４に登録する（Ｓ１０８）。この時点で読み込んだ２次元バーコードに関する処理が完了するので、処理済みグループ数カウンタをインクリメントする（Ｓ１０９）。
【００３８】
次に、ここで処理した購入データに含まれている全グループ数と、処理済みのグループ数を比較する（Ｓ１１０）。つまり、処理済みグループ数カウンタが全グループ数と一致すれば、全グループが読み込み済であるので（Ｓ１１０：ＹＥＳ）、処理済みグループ数カウンタをクリアし、このレシートの読込みを終了する（Ｓ１１１）。一方、全グループの読み込みが終了していなければ（Ｓ１１１０：ＮＯ）、ステップＳ１０２へ戻る。
【００３９】
以上、本発明により、店舗側で設定した、読み込みやすいサイズの、複数の2次元バーコードを1枚のレシートすることができ、また、複数の2次元バーコードを重複して登録することもないので、家計簿への入力がより容易になる。
【００４０】
なお、図1２に示すように店舗名や商品購入日時を2次元バーコードにすることで、さらに家計簿への入力が容易になる。
【００４１】
次に、第１及び第２の実施形態における情報端末装置１は、例えば図１３に示すように複数の装置に分散して構成してもよい。すなわち、図１３の例では、情報端末装置１の機能を携帯情報端末装置１０とデスクトップパソコンなどの情報端末装置７１とに分散して構成する。なお、第１の実施形態と同一の構成については同一の符号を付し、説明を省略する場合がある。
【００４２】
携帯情報端末装置1０は、カメラ１１と、2次元バーコード解析部１２と、ローカルに通信可能な通信手段７５と、商品情報保存手段７６、着脱可能なメモリ７７とを備える。情報端末装置７１は、通信手段７２と、家計簿データベース７３と、家計簿管理手段７４とを備える。
【００４３】
携帯情報端末装置１０は、2次元バーコード解析部１２の解析結果であるテキストデータを、商品情報保存手段７６、あるいは、携帯情報端末装置１０に装着されたメモリ７７に保存する。その後、携帯情報端末装置１との通信手段７５と情報端末装置７１の通信手段７２とが、通信可能な場合、例えば、携帯情報端末装置１０を保持する購入者が外出から帰宅するなどの場合、情報端末装置１のメモリ７７に保存されているテキストデータを情報端末装置７１に送信する。
【００４４】
ここで、通信手段は赤外線やBluetoothのような無線通信手段でもよいし、USB等のケーブルを接続して通信する有線の接続手段でもよい。テキストデータを受信した情報端末装置７１では、家計簿管理手段７４で受け取ったテキストデータを解析し、商品別に、商品名、単価等に分類し、家計簿データベース７３に登録する。
【００４５】
本実施形態によれば、購入した商品の情報をユーザがキー入力をしなくても家計簿システムに容易に取り込むことができる。さらに、本実施形態では、携帯情報端末装置に家計簿管理手段およびデータベースを配置する必要が無いため、一般的な携帯電話機などメモリの容量が小さい情報端末装置を利用することもできる。
【００４６】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００４７】
例えば、上記実施形態では２次元バーコードを用いているが、これの代わりに１次元のバーコードでもよいし、バーコード以外にも機械的に読み取り可能な画像を用いてもよい。
【図面の簡単な説明】
【００４８】
【図１】本発明の第１の実施形態に係る家計簿登録支援システムの機能構成の一例を示す図である。
【図２】第１の実施形態の商品販売データ処理システムの他の構成の例を示す図である。
【図３】第１の実施形態の商品コードデータベースの一例である。
【図４】第１の実施形態の商品リストデータの一例である。
【図５】第１の実施形態のレシートの一例である。
【図６】第１の実施形態の商品リストデータ構成の一例である。
【図７】本発明の第２の実施形態に係る家計簿登録支援システムの機能構成の一例を示す図である。
【図８】第２の実施形態の商品リストデータの一例である。
【図９】第２の実施形態の商品リストデータ構成の一例である。
【図１０】第２の実施形態のレシートの一例である。
【図１１】第２の実施形態の処理フローの一例を示す図である。
【図１２】第２の実施形態のレシートの一例である。
【図１３】情報端末装置の他の構成例を示す図である。
【符号の説明】
【００４９】
１  情報端末装置
２  商品販売データ処理システム
３  レシート
１１  カメラ
１２  ２次元バーコード解析部
１３、７４  家計簿管理手段
１４、７３  家計簿データベース
２１  入力手段
２２  商品コード変換手段
２３  商品コードデータベース
２４  ２次元バーコード生成手段
２５  印刷手段
５４  ２次元バーコード
７２、７５  通信手段
７６  商品情報保存手段
７７  メモリ
【図１】
2006178561.tif 000003
【図２】
2006178561.tif 000004
【図３】
2006178561.tif 000005
【図４】
2006178561.tif 000006
【図５】
2006178561.tif 000007
【図６】
2006178561.tif 000008
【図７】
2006178561.tif 000009
【図８】
2006178561.tif 000010
【図９】
2006178561.tif 000011
【図１０】
2006178561.tif 000012
【図１１】
2006178561.tif 000013
【図１２】
2006178561.tif 000014
【図１３】
2006178561.tif 000015